(57)【要約】【課題】可視光通信を用いた店舗情報システムにおいて顧客に対する売場情報の提供を迅速に行う。【解決手段】ＬＥＤ照明１０は、店舗内の各売場を照明するとともに、可視光通信を用いて位置情報を送信する。情報管理サーバ２０は、データベースに記憶されている売場情報、顧客情報などを無線で送受信する。端末装置３０は、ＬＥＤ照明１０から送信された位置情報を可視光受信部３１で受信する。端末装置３０は、ポイントカード５０の顧客識別情報をカード情報取得部４０で取得する。情報管理サーバ２０は、顧客識別情報に基づいて顧客データベース２２から顧客情報を送信する。情報抽出部３６は、位置情報、顧客情報などから抽出された最適な売場情報を表示部３７に表示する。【選択図】図２
2012079033.tif 000002
【特許請求の範囲】
【請求項１】
次の構成を有することを特徴とする店舗情報システム。
（１）複数のＬＥＤ照明を、店舗内に設けられた複数の売場のそれぞれを照明するように設置し、各ＬＥＤ照明には、各ＬＥＤ照明が設置されたそれぞれの売場に対応する位置情報を記憶した位置情報記憶部と、前記位置情報を可視光で端末装置に送信する可視光送信部を設ける。
（２）情報管理サーバには、複数の売場情報が記憶されている売場データベースと、端末装置との間で前記売場情報を送受信するサーバ送受信部を情報管理サーバに設ける。
（３）端末装置には、前記ＬＥＤ照明から送信された位置情報を受信する可視光受信部と、前記情報管理サーバとの間で売場情報を送受信する端末送受信部を設ける。
（４）前記端末装置には、情報管理サーバから無線通信で受信した売場情報が記憶される売場情報記憶部と、前記売場情報から前記位置情報に関連した抽出情報を抽出する情報抽出部と、前記抽出情報を顧客に提示する情報表示部を設ける。
【請求項２】
前記情報管理サーバは、複数の顧客情報が記憶されている顧客データベースを有し、
前記端末装置は、顧客が使用するカードに記録されている顧客識別情報を取得するカード情報取得部と、取得した前記顧客識別情報を無線通信により前記情報管理サーバに供給し、
前記情報管理サーバは、前記顧客データベースから前記カード情報に基づいた顧客情報を読み出し、読み出した顧客情報を端末装置に無線通信で送信し、
前記端末装置は、受信した顧客情報を記憶する顧客情報記憶部を備え、
前記情報抽出部は、この記憶された個人情報と前記売場情報との間で関連する情報を抽出するものであることを特徴とする請求項１に記載の店舗情報システム。
【請求項３】
前記情報管理サーバは、臨時情報を記憶する臨時情報データベースを有し、前記端末装置は情報管理サーバから受信した臨時情報を記憶する臨時情報記憶部を有し、
前記情報抽出部は、この臨時情報に基づいて抽出情報を抽出することを特徴とする請求項１または請求項２に記載の店舗情報システム。
【請求項４】
前記端末装置は、前記位置情報に基づいた動線情報を記憶する動線情報記憶部を有し、前記動線情報は無線通信により前記情報管理サーバに供給されることを特徴とする請求項１ないし請求項３のいずれかに記載の店舗情報システム。
【発明の詳細な説明】
【技術分野】
【０００１】
本発明は、百貨店、スーパーマーケットなどの店舗において、顧客に売場情報を提供する可視光通信を用いた店舗情報システムに関する。
【背景技術】
【０００２】
従来から、百貨店やスーパーマーケットなどの店舗において、顧客が使用している端末装置に対して、サーバから無線で商品情報などを送信し、この情報をこの端末装置で表示することが知られている。例えば、特許文献１においては、百貨店やスーパーなどの商品売場で数多く設置されている照明を利用した可視光通信で、顧客に商品情報などを提供する技術が開示されている。
【先行技術文献】
【特許文献】
【０００３】
【特許文献１】特開２００６−１７４１２０号公報
【発明の概要】
【発明が解決しようとする課題】
【０００４】
特許文献１に記載の発明は、可視光通信を用いて、顧客に対する商品情報などを提供する技術である。この技術は、提供する情報を情報管理サーバから個々のＬＥＤ（Light Emitting Diode）照明にすべて送信するものであるから、情報管理サーバと個々のＬＥＤとを構内のネットワークなどに接続する必要がある。このようなシステムでは、配線工事が必要となり設備投資のための負担が大きいという問題がある。また、ＬＥＤ照明を用いて大量の商品情報を伝送することは、応答時間が長くなるという問題がある。
【０００５】
本発明は、前記のような従来技術の問題点を解決するために提案されたもので、
顧客に対する商品情報などの売場情報の提供を迅速に行うことができ、設備投資などの負担の小さい可視光通信を用いた店舗情報システムの提供を目的とする。
【課題を解決するための手段】
【０００６】
本発明の店舗情報システムは、次のような特徴を有する。
（１）複数のＬＥＤ照明を、店舗内に設けられた複数の売場のそれぞれを照明するように設置する。各ＬＥＤ照明には、各ＬＥＤ照明が設置されたそれぞれの売場に対応する位置情報を記憶した位置情報記憶部と、前記位置情報を可視光で端末装置に送信する可視光送信部を設ける。
（２）情報管理サーバには、複数の売場情報が記憶されている売場データベースと、端末装置との間で前記売場情報を無線通信で送受信するサーバ送受信部を情報管理サーバを設ける。
（３）端末装置には、前記ＬＥＤ照明から可視光通信により送信された位置情報を受信する可視光受信部と、前記情報管理サーバとの間で売場情報を無線通信により送受信する端末送受信部を設ける。
（４）端末装置は、情報管理サーバから無線通信で受信した売場情報が記憶される売場情報記憶部と、前記売場情報から前記位置情報に関連した抽出情報を抽出する情報抽出部と、前記抽出情報を顧客に提示する表示部とを備える。
【０００７】
また、次のような構成を有する情報管理サーバや端末装置も、本発明の一態様である。
【０００８】
（５）前記情報管理サーバは、複数の顧客情報が記憶されている顧客データベースを有する。前記端末装置は、顧客が使用するカードに記録されている顧客識別情報を取得するカード情報取得部と、取得した前記顧客識別情報を前記情報管理サーバに無線で送信し、前記顧客データベースから前記顧客識別情報に基づいた顧客情報を取得する。前記顧客情報は、顧客情報記憶部に記憶される。前記情報抽出部は前記顧客情報に基づいて抽出する。前記抽出された顧客情報を基に、顧客に対して最適な商品情報その他の最適情報を選択する情報選択部を有する。
【０００９】
（６）前記情報管理サーバは、売場で取り扱うタイムセール商品などの臨時情報を記憶する臨時情報データベースを有し、前記端末装置は情報管理サーバから受信した前記臨時情報を記憶する臨時情報記憶部を有する。前記情報抽出部は、この臨時情報を位置情報や時刻などの情報に応じて抽出し、抽出情報として表示する。
【００１０】
（７）前記端末装置は、前記位置情報に基づいて顧客が移動した経路である動線情報を記憶する動線情報記憶部を有する。前記動線情報は、前記情報管理サーバに送信され、店内における顧客の経路誘導や購入見込み商品の提示を行う。
【発明の効果】
【００１１】
本発明によれば、可視光通信は位置情報のみを顧客の携帯する端末に伝送するのみであり、売場情報は無線通信によって顧客情報サーバから端末に送信されるため、可視光通信用のＬＥＤ照明を構内ネットワークに接続する必要がない。また、本発明では、位置情報のみを可視光で通信するので、可視光通信による情報伝送の少ないシステムの構築ができ、顧客に対して迅速に店舗情報を提供することができる。
【図面の簡単な説明】
【００１２】
【図１】実施形態の店舗情報システムを示す側面図である。
【図２】実施形態の店舗情報システムを示す機能ブロック図である。
【図３】実施形態の店舗情報システムの作用を示すフローチャートである。
【発明を実施するための形態】
【００１３】
本発明の一実施形態を図面に従って、具体的に説明する。
【００１４】
［実施形態の構成］
図１に示すとおり、本実施形態の店舗情報システム１は次のような基本的な構成を有する。
（１）店舗内の各売場に設けられ、各売場の商品や通路などのスペースを照明すると共に、可視光通信を用いて位置情報を送信するＬＥＤ照明１０。
（２）売場情報などが記憶されているデータベースを有し、情報を無線で送受信する情報管理サーバ２０。
（３）店舗内を移動中の顧客が使用する移動体の一例であるカート２に搭載されている端末装置３０。
【００１５】
図２を用いて、本実施形態の店舗情報システム１の構成を更に詳しく説明する。
店舗内の各売場を照明するように設置されたＬＥＤ照明１０は、各売場の位置情報を記憶した位置情報記憶部１１と、ＬＥＤの点灯時に位置情報を可視光で端末装置３０に送信する可視光送信部１２とを有する。
【００１６】
位置情報記憶部１１に記憶されている位置情報は、可視光が照射される売場の位置を示す情報であり、顧客が存在する位置を特定する情報である。例えば、売場ごとに設定したＩＤコードなどがこれに相当する。この可視光送信部１２は、この位置情報を変調し、この変調信号に基づいて人間が認識できない周波数でＬＥＤ照明１０を高速に点滅することにより、可視光が照明している売場の領域に送信する。
【００１７】
情報管理サーバ２０は、複数の売場情報が記憶されている売場データベース２１と、顧客である情報が記憶されている顧客データベース２２と、売場や顧客に関する臨時情報を記憶する臨時情報データベース２３を備えている。また、情報管理サーバ２０は、前記各データベース２１〜２３から読み出した情報を、端末装置３０との間で送受信するサーバ送受信部２４を有する。
【００１８】
売場データベース２１には、位置情報に対応する売場の商品などの情報が記憶されている。この売場情報は、例えば、各売場で販売している商品とその価格、在庫の有無などの情報、あるいは店舗内における売場の位置、広さ、トイレや非常口の位置などで、商品情報に限るものではない。顧客データベース２２には、顧客の個人情報、例えば、年齢、過去の購買情報などの情報が記憶されている。臨時情報データベース２３には、例えば、タイムセールスの商品や価格、開始時間などの臨時に発生する情報や顧客の呼び出しなどの情報を記憶する。サーバ送受信部２４は、上記の各データベース２１〜２３に記憶されている情報を端末装置３０に送信する。また、サーバ送受信部２４は、各データベース２１〜２３を更新するための情報や、顧客に新たな情報を提供するための基礎になる情報を、端末装置３０から受信する。
【００１９】
端末装置３０は、ＬＥＤ照明１０から可視光通信で送信された位置情報を受信する可視光受信部３１と、情報管理サーバ２０との間で無線通信による情報を送受信する端末送受信部３２を備えている。また端末装置３０は、サーバ送受信部２４と端末送受信部３２とを介して、無線通信でダウンロードされる売場情報、顧客情報、及び臨時情報を記憶するための売場情報記憶部３３、顧客情報記憶部３４、及び臨時情報記憶部３５を備えている。更に、端末装置３０は、可視光通信により取得した位置情報と、無線通信により受信した前記各記憶部３３〜３５の情報とに基づいて、顧客に対して必要な情報を抽出する情報抽出部３６を有している。
【００２０】
前記端末装置３０は、前記情報抽出部３６で抽出された売場情報を表示する表示部３７と、表示された売場情報の中からさらに詳細な情報を表示することを選択する情報選択部３８を有する。更に、端末装置３０は、可視光受信部３１で受信した位置情報に基づいて、顧客が移動した経路を示す動線情報を作成し、これを記憶する動線情報記憶部３９を有している。この動線情報は、端末送受信部３２とサーバ送受信部２４とを介して、情報管理サーバ２０に送信され、顧客データベース２２の顧客情報を更新する。
【００２１】
前記端末装置３０は、店舗から顧客に供給されているポイントカードやクレジットカードなどのカード５０に記憶されている顧客識別情報を取得するカード情報取得部４０を有している、この顧客識別情報は、端末送受信部３２を介して情報管理サーバ２０に送信される。情報管理サーバ２０は、顧客データベース２２からこの顧客識別情報に基づいた顧客情報を読み出し、サーバ送受信部２４と端末送受信部３２とを介して端末装置３０の顧客情報記憶部３４に送信する。
【００２２】
［実施形態の作用］
図３を用いて、本実施形態の作用について説明する。まず、顧客が端末装置３０を搭載したカート２を使用して店舗内を買物のために移動する（ステップＳ１００）。
【００２３】
顧客のいる位置に対して、ＬＥＤ照明１０から可視光による位置情報が送信され、端末装置３０が位置情報を取得する（ステップＳ１１０）。この位置情報は、端末装置３０に設けられた端末送受信部３２により無線通信で情報管理サーバ２０に送信される。情報管理サーバ２０では、この位置情報に基づいて、売場データベース２１から該当する売場に関する情報を抽出して読み出す。読み出された売場データは顧客サーバ２０の送受信部２４から端末装置３０に送信され、端末装置３０の売場情報記憶部３３に記憶される。（ステップＳ１２０）。
【００２４】
顧客がポイントカードなどのカードを所有している場合、カード５０に記憶されている顧客識別情報が端末装置３０のカード情報取得部４０で取得されていれば（ステップＳ１３０：Ｙｅｓ）、端末装置３０はそのカード情報（顧客識別情報）を情報管理サーバ２０に送信する。情報管理サーバ２０では、この顧客識別情報に基づいて顧客データベース２２からその顧客の情報を読み出す。読み出された顧客情報は、無線通信により情報管理サーバ２０から端末装置３０に送信され、端末装置３０の顧客情報記憶部３４に記憶される。（ステップＳ１４０）。
【００２５】
顧客情報としては、例えば、性別情報(男、女)、年齢情報(１０代、２０代など)、頻度情報(毎日、土、日など)、好み情報１(肉、魚、野菜など)、好み情報２(洋食、和食など)、家族情報(単身、２人、親+子供など)などがある。
【００２６】
一方、顧客がカード５０を持参せず、このカード情報が、端末装置３０のカード情報取得部４０で取得されていなければ（ステップＳ１３０：Ｎｏ）、顧客情報を記憶部３４に記憶することなく、次のステップＳ１５０に進む。
【００２７】
端末装置３０から売場情報や顧客のカード情報が無線通信により情報管理サーバ２０に送信された場合、情報管理サーバ２０においては、これらの情報に関連のある臨時情報の有無について臨時情報データベース２３を検索する。そして、臨時情報データベース３５に関連する臨時情報があれば（ステップＳ１５０：Ｙｅｓ）、その臨時情報をデータベースから読み出して、端末装置３０に無線で送信する。端末装置３０では、受信した臨時情報をその記憶部３５に記憶する（ステップＳ１６０）。
【００２８】
この場合、臨時情報の抽出としては、例えば、第１の特売情報（位置情報とそれに関連する特売情報）、第２の特売情報（顧客情報に関連する特売情報）、特売情報と顧客情報に基づいた推薦レシピ、顧客情報に基づいた商品の推薦情報などがある。
【００２９】
一方、売場情報や顧客情報に関連する適切な臨時情報が、情報管理サーバ２０の臨時情報データベース２３内になければ（ステップＳ１５０：Ｎｏ）、端末装置３０に対する臨時情報の無線送信を行うことなく、ステップＳ１７０に進む。
【００３０】
上記のようにして各記憶部３３〜３５に売場情報、顧客情報及び臨時情報が記憶された状態において、情報抽出部３６ではこれらの各情報を参照することで、顧客に提示する情報の抽出が行われる。この情報の抽出は、例えば、売場における商品の種類と、顧客の性別、タイムセールの有無などを組み合わせることで、顧客に対して適切な商品情報や案内情報を抽出する。
【００３１】
このようにして情報抽出部３６で抽出された売場情報や案内情報が表示部３７に表示され、顧客に提示される（ステップＳ１７０）。顧客が表示部３７に表示された複数の情報の中から更に詳細な情報を選択したい場合（ステップＳ１８０：Ｙｅｓ）、情報選択部３８により、表示された複数の情報の中から所望の情報を選択する。
【００３２】
表示部３７に表示されている各情報について選択することのできる詳細な情報としては、例えば、選択レシピ具材紹介、推奨商品紹介、特売商品紹介、商品陳列場所検索案内などがある。情報選択部３８で選択する方法としては、表示部３７のタッチパネル機能、キー入力機能などを用いて選択する。表示部３７は顧客の選択に応じた詳細情報を表示する（ステップＳ１７０）。さらに、この選択部３８を階層化することで、より詳細な情報を求めて再度の選択をすることができる（ステップＳ１８０：Ｙｅｓ）。そして、詳細な情報の選択をしない場合は（ステップＳ１８０：Ｎｏ）、ステップＳ１９０の動線情報の記憶に進む。
【００３３】
前記ＬＥＤ照明１０から可視光通信により取得された位置情報は、売場ごとに動線情報記憶部３９に記憶される（ステップＳ１９０）。すなわち、顧客が次の売場に移動するごとに各売場の位置情報が動線情報記憶部３９に記憶される。なお、この動線情報の記憶は、端末装置３０あるいは情報管理サーバ２０のいずれか一方、あるいは双方に設けることができる。
【００３４】
情報管理サーバ３０に動線情報記憶部３９を設けた場合には、端末装置３０が位置情報を可視光通信で受信する都度、それを無線通信で情報管理サーバ２０に送信しても良い。また、顧客が買い物を終了した場合に、それまで端末装置３０に記憶した位置情報から作成した経路を、まとめて情報管理サーバ２０に送信しても良い。
【００３５】
このようにして、一箇所の売場について、その情報の表示が終了した後、顧客が他の売場に移動して、買い物を継続すれば（ステップＳ２００：Ｙｅｓ）、ステップＳ１１０に戻り、次の売場でＬＥＤ照明１０から位置情報を可視光通信で受信する。一方、顧客が買い物を終え、それ以上売場に移動しない場合には、（ステップＳ２００：Ｎｏ）、カート２及び端末装置３０を返却することで、処理が終了する（ステップＳ２１０）。
【００３６】
[実施形態の効果]
本実施形態の店舗情報システム１は、次のような効果を奏する。
【００３７】
（１）ＬＥＤ照明１０は、可視光通信で位置情報のみを端末装置３０に送信し、情報管理サーバからの各種の情報は無線通信により送信される。そのため、ＬＥＤ照明には、売場への設置時にその位置情報のみを記憶させておけば良いので、ＬＥＤ照明をネットワークに接続するなどの必要がなく、システムを簡易に構築することができる。
【００３８】
（２）顧客への売場情報などの提供は、情報管理サーバ２０からの無線通信により供給するので、大量の情報を提供する場合に可視光通信に比較して応答速度が早く、顧客に対する情報の提供を迅速にできる。
【００３９】
（３）端末装置３０の位置情報は可視光を用いて行われるため、端末装置が位置情報の受信場所にあるか否かを目視で確認でき、また、位置の精度も高くできる。
【００４０】
（４）ポイントカードなどのカード５０の情報に基づいて、顧客の年齢、性別、家族構成などのきめ細かな情報に対応した顧客満足度の高い売場情報を提供することができる。
【００４１】
（５）臨時情報記憶部３５を有しており、タイムセールスなどの特別なサービスについて、的確に、タイムリーに情報を提供することができる。
【００４２】
（６）表示部３７に、より詳細な情報の選択部３８を設けることにより、単に売場に陳列された商品の価格や産地などの情報に限らず、レシピ具材紹介、推奨商品紹介などのより高度な顧客サービスを行うことができる。
【００４３】
［他の実施形態］
本発明は前記実施形態に限定されるものではなく、以下のような他の実施形態も含有する。
【００４４】
（１）前記の実施形態は、端末装置３０が売場情報や顧客情報を取得したことを契機として、情報管理サーバ２０の各データベースに対して、売場情報や顧客情報に関連する情報の読み出しを行っている。しかし、端末装置３０の記憶装置に十分な容量がある場合には、売場情報や臨時情報などについては、初めから端末装置３０の記憶部３３に記憶させておくこともできる。その場合、情報管理サーバ２０において、データの書き換えがあった場合などは、書き換え処理を契機として、データの差分のみを端末装置３０に送信することができる。
【００４５】
（２）実施形態において年齢、趣向などの顧客情報は、情報管理サーバ２０に記憶されているが、これに限定されない。例えば、ポイントカードに年齢などの顧客情報を、顧客識別情報とともに記憶し、それを端末装置３０で取得しても良い。
【００４６】
（３）情報管理サーバ２０の顧客データベース２２は、例えば、ＰＯＳシステムからの購入情報などが入力できるようにして、顧客情報の一元管理をしても良い。
【００４７】
（４）図３に示すフローチャートは、あくまでも処理の一例であり、本発明を限定するものではない。各処理の順番、例えば、データベースからの読み出しや動線情報の記憶の処理の順番を入れ替えることも可能である。
【符号の説明】
【００４８】
１…店舗情報システム
２…カート
１０…ＬＥＤ照明
１１…位置情報記憶部
１２…可視光送信部
２０…情報管理サーバ
２１…売場データベース
２２…顧客データベース
２３…臨時情報データベース
２４…サーバ送受信部
３０…端末装置
３１…可視光受信部
３２…端末送受信部
３３…売場情報記憶部
３４…顧客情報記憶部
３５…臨時情報記憶部
３６…情報抽出部
３７…表示部
３８…情報選択部
３９…動線情報記憶部
４０…カード情報取得部
５０…カード
【図１】
2012079033.tif 000003
【図２】
2012079033.tif 000004
【図３】
2012079033.tif 000005